Podtech/llm-jp-corpus-v4-ja_patent huggingface dataset:
【手続補正書】
【提出日】平成24年4月11日(2012.4.11)
【手続補正１】
【補正対象書類名】特許請求の範囲
【補正対象項目名】全文
【補正方法】変更
【補正の内容】
【特許請求の範囲】
【請求項１】
レーザから出力を受け取る入力部と、前記出力を、ビームウエストを有している細長いレーザビームに集束させるビーム形成光学部品とを備えている光ヘッドであって、前記ビームウエストが中心を有し、前記細長いレーザビームが、前記ビームウエストの前記中心に対して相対的に約±５ｍｍを超える拡張焦点深度を有し、該細長いレーザビームが、前記拡張焦点深度全域に亘って、該拡張焦点深度の範囲内にその一部が配置されている材料に罫書きするのに十分な出力密度を有している、光ヘッド、および、
前記光ヘッドと連結され、該光ヘッドに前記出力を提供するレーザ、
を備えていることを特徴とするシステム。
【請求項２】
前記レーザと前記光ヘッドとの間に配置されたビーム拡大器をさらに備え、該ビーム拡大器が、前記レーザから前記出力を受け取って、該レーザからの出力を、ウエストおよび中心を有している拡大されたレーザビームに拡大し、そして該拡大されたレーザビームを前記光ヘッドに伝送するものであり、さらに、前記ビーム拡大器が固定された位置にあり、かつ前記光ヘッドが前記ビーム拡大器に対して動くフライング光ヘッドであり、
前記フライング光ヘッドが約０．５ｍから約６ｍの浮動距離を有し、さらに、前記ビーム拡大器が、前記拡大されたレーザビームの前記ウエストの前記中心を前記浮動距離の略中心に投影するように構成されていることを特徴とする、請求項１記載のシステム。
【請求項３】
前記拡張焦点深度が最大で約±２０ｍｍであり、さらに、前記細長いレーザビームがビーム長およびビーム幅を有し、前記拡張焦点深度の範囲に亘る、前記ビーム幅の変動が±５％未満でありかつ前記ビーム長の変動が±２％未満であることを特徴とする、請求項１記載のシステム。
【請求項４】
前記拡張焦点深度全域に亘る前記出力密度の変動が約５％以下であることを特徴とする請求項３記載のシステム。
【請求項５】
平坦なガラスシートを製造するプロセスにおいて、
ガラス製造装置でガラスを製造する工程、および、
前記ガラスに罫書きしかつガラスシートに分割することにより、前記ガラスから平坦なガラスシートを分割する工程であって、前記ガラスが製造されるときに該ガラスに罫書きするよう位置付けられた罫書き装置でレーザビームを生成することにより、罫書きを実行する工程、
を含み、前記罫書き装置が、
レーザと、
該レーザからレーザビームを受け取るように位置付けられ、かつ該レーザビームを、中心を備えたウエストを有している拡大されたレーザビームに拡大する、ビーム拡大器と、
前記拡大されたレーザビームを受け取るように位置付けられ、中心を有する浮動距離に亘り前記ビーム拡大器に対して可動である、フライング光ヘッドと、
を備え、
前記ビーム拡大器が、前記拡大されたレーザビームの前記ウエストの前記中心が前記浮動距離の略前記中心となるように、前記拡大されたレーザビームを形成するものであり、
前記フライング光ヘッドが、前記拡大されたレーザビームを、中心を備えたビームウエストを有している細長いレーザビームに変化させるように構成され、該細長いレーザビームが、該細長いレーザビームの前記ウエストの前記中心に対して相対的に±５ｍｍを超える拡張焦点深度を有し、該細長いレーザビームが、前記拡張焦点深度全域に亘って、前記ガラスに罫書きするのに十分な出力密度を有しているものであり、
さらに、前記ガラス製造装置および前記罫書き装置が、該ガラス製造装置によって製造されるガラスの一部が前記拡張焦点深度の範囲内に配置されるように互いに対して配置されていることを特徴とする、平坦ガラスシート製造プロセス。
【請求項６】
前記罫書き装置が、前記レーザと前記光ヘッドとの間に配置されたビーム拡大器をさらに備え、該ビーム拡大器が、前記レーザから前記出力を受け取って、該レーザからの出力を、ウエストおよび中心を有している拡大されたレーザビームに拡大し、そして該拡大されたレーザビームを前記光ヘッドに伝送するものであり、さらに、前記ビーム拡大器が固定された位置にあり、かつ前記光ヘッドが前記ビーム拡大器に対して動くフライング光ヘッドであり、
前記フライング光ヘッドが約０．５ｍから約６ｍの浮動距離を有し、さらに、前記ビーム拡大器が、前記拡大されたレーザビームの前記ウエストの前記中心を前記浮動距離の略中心に投影するように構成されていることを特徴とする、請求項５記載のプロセス。
【請求項７】
前記拡張焦点深度が最大で約±２０ｍｍであり、さらに、前記細長いレーザビームがビーム長およびビーム幅を有し、前記拡張焦点深度の範囲に亘る、前記ビーム幅の変動が±５％未満でありかつ前記ビーム長の変動が±２％未満であることを特徴とする、請求項５記載のプロセス。
【請求項８】
前記拡張焦点深度全域に亘る前記出力密度の変動が約５％以下であることを特徴とする請求項７記載のプロセス。
【手続補正書】
【提出日】平成24年5月17日(2012.5.17)
【手続補正１】
【補正対象書類名】特許請求の範囲
【補正対象項目名】全文
【補正方法】変更
【補正の内容】
【特許請求の範囲】
【請求項１】
ソーラーユニット用のカバープレートまたはバッキングプレートとして使用されるガラスプレートであって、成分量を重量パーセントで表して、下記の成分を含む組成を有するガラスプレート：
ＳｉＯ２  ６５〜７４％；
Ａｌ２Ｏ３  ０〜３％；
Ｎａ２Ｏ  １２〜１５％；
Ｋ２Ｏ  ０〜２％；
ＣａＯ  ４．８〜１１％；
ＭｇＯ  ０〜２％；
ＳＯ３  ０〜１％；
Ｆｅ２Ｏ３（全鉄）  ＜０．１％；
および下記のうちの一方または両方：
ＳｒＯ  ２〜１０％；
ＢａＯ  １．５〜１０％
ただし、ＳｒＯとＢａＯの総量は、２％より大きく、且つ、前記組成がＢ２Ｏ３を含まないことを条件とする。
【請求項２】
請求項１に記載のガラスプレートであって、前記組成中に３〜８％、好ましくは４〜６％の量でＳｒＯが存在する、ガラスプレート。
【請求項３】
請求項１または２に記載のガラスプレートであって、前記組成中に２〜８％、好ましくは３〜６％の量でＢａＯが存在する、ガラスプレート。
【請求項４】
前記請求項のいずれか一項に記載のガラスプレートであって、前記組成中に１％以下の量でＭｇＯが存在する、ガラスプレート。
【請求項５】
前記請求項のいずれか一項に記載のガラスプレートであって、前記組成中のアルカリ土類金属酸化物成分の総量が、１０〜２０％の範囲、好ましくは１１〜１８％の範囲、最も好ましくは１２〜１８％の範囲である、ガラスプレート。
【請求項６】
前記請求項のいずれか一項に記載のガラスプレートであって、前記組成が、下記の酸化剤のうちの１種または複数種を使用して調製された、ガラスプレート：
硝酸ナトリウム、硝酸カリウム、および／またはアンチモン、ヒ素、セリウム、マンガン、バナジウム、銅、チタンの酸化物。
【請求項７】
前記請求項のいずれか一項に記載のガラスプレートであって、前記ガラス内に存在する第一鉄Ｆｅ（ＩＩ）の状態の鉄の量は、４０％未満、好ましくは３０または２５％未満、最も好ましくは１５〜２２％である、ガラスプレート。
【請求項８】
前記請求項のいずれか一項に記載のガラスプレートであって、第一鉄Ｆｅ（ＩＩ）の状態の鉄による吸収バンドの最大値が、１１２０〜１５００ｎｍ、好ましくは１１２５〜１４００ｎｍ、最も好ましくは１１３０〜１３００ｎｍに位置する、ガラスプレート。
【請求項９】
前記請求項のいずれか一項に記載のガラスプレートであって、０．５ｍｍ〜１０ｍｍの厚さで形成されたガラスプレート。
【請求項１０】
前記請求項のいずれか一項に記載のガラスプレートであって、強化または半強化されているガラスプレート。
【請求項１１】
請求項１０に記載のガラスプレートであって、５０〜３５０℃で１００×１０−７℃−１より大きい熱膨張係数αを有するガラスプレート。
【請求項１２】
請求項１０または１１に記載のガラスプレートであって、３．５ｍｍ以下の厚さ、好ましくは３ｍｍの厚さで形成されたガラスプレート。
【請求項１３】
成分量を重量パーセントで表して、下記の成分を含む組成を有するソーラーユニット用ガラスプレート：
ＳｉＯ２  ６０〜７５％；
Ａｌ２Ｏ３  ０〜５％；
Ｎａ２Ｏ  １０〜１８％；
Ｋ２Ｏ  ０〜５％；
ＣａＯ  ４．８〜１１％；
ＭｇＯ  ０〜５％；
ＳＯ３  ０〜１％；
Ｆｅ２Ｏ３（全鉄）＜０．１５％；
および下記のうちの一方または両方：
ＳｒＯ  ０〜１５％；
ＢａＯ  ０〜１５％
ただし、ＳｒＯとＢａＯの総量は、１％より大きいことを条件とする。
【請求項１４】
請求項１３に記載のソーラーユニット用ガラスプレートであって、強化または半強化されており、５０〜３５０℃で１００×１０−７℃−１より大きい熱膨張係数αを有するソーラーユニット用ガラスプレート。
【請求項１５】
請求項１〜１４のいずれか一項に記載のガラスカバープレートを備えるソーラーユニット。
【請求項１６】
請求項１５に記載のソーラーユニットであって、請求項１〜１４のいずれか一項にそれぞれ記載されるガラスカバープレートおよびガラスバッキングプレートを備える太陽光発電ユニットの形態のソーラーユニット。
【請求項１７】
請求項１５または１６に記載のソーラーユニットであって、ガラスカバープレート以外の点では同一の太陽光発電ユニットに関して従来のガラスカバープレートを使用して達成されるセル効率を少なくとも０．２パーセントポイント、好ましくは０．３パーセントポイント上回るセル効率を有する太陽光発電ユニットの形態のソーラーユニット。
【請求項１８】
太陽光集光に使用されるソーラーミラーであって、請求項１〜１４のいずれか一項に記載の太陽指向のガラスプレートを備えるソーラーミラー。
【請求項１９】
請求項１８に記載のソーラーミラーであって、裏面鏡であるソーラーミラー。
【請求項２０】
太陽光集光に使用されるレンズであって、請求項１〜１４のいずれか一項に記載の太陽指向のガラスプレートを備えるレンズ。
【手続補正２】
【補正対象書類名】明細書
【補正対象項目名】００４６
【補正方法】変更
【補正の内容】
【００４６】
2011522770.tif 000001
【手続補正書】
【提出日】平成24年6月7日(2012.6.7)
【手続補正１】
【補正対象書類名】特許請求の範囲
【補正対象項目名】全文
【補正方法】変更
【補正の内容】
【特許請求の範囲】
【請求項１】
抗菌ポリマーフィルムを製造する方法であって、
（ａ）第１のポリマー材料の第１の層および第２のポリマー材料の第２の層を含有するポリマー基材層を共押し出しする工程であって、前記第２のポリマー材料の結晶融解温度（ＴM２）は前記第１のポリマー材料の結晶融解温度（ＴM１）よりも低い工程と、
（ｂ）前記共押し出し基材を第１の方向に延伸する工程とを含み、
（ｃ）前記基材層を直交する第２の方向に延伸する工程を含んでもよく、
（ｄ）微粒子の抗菌化合物および液体溶媒を含有し、好ましくは界面活性剤も含有してもよい組成物を前記第２のポリマー層の表面に配置する工程と、
（ｅ）前記第２のポリマー材料の前記結晶融解温度（ＴM２）よりも高く、しかし前記第１のポリマー材料の前記結晶融解温度（ＴM１）未満の温度で延伸されたフィルムをヒートセットする工程とを含み、
工程（ｄ）は工程（ｂ）の前に、または工程（ｂ）と工程（ｃ）との間で、または工程（ｃ）の後であって工程（ｅ）の前に実施され、
最終形態のフィルムの前記第２の層は、前記第２の層の前記ポリマー材料の約１質量％から約８０質量％の量の前記抗菌化合物を含有する方法。
【請求項２】
請求項１に記載の方法において、
前記組成物は、さらに界面活性剤を含有し、および／または前記液体溶媒は水である方法。
【請求項３】
第１のポリマー材料の第１の層と第２のポリマー材料の第２の層とを含有する、共押し出しされ、延伸され、ヒートセットされたポリマー基材層を含有する抗菌ポリマーフィルムであって、
（ｉ）前記第２のポリマー材料の結晶融解温度（ＴM２）は前記第１のポリマー材料の結晶融解温度（ＴM１）よりも低く、
（ｉｉ）前記第２の層は、前記第２の層の前記ポリマー材料の約１質量％から約８０質量％の量の微粒子の抗菌化合物を含有し、前記抗菌化合物は前記共押し出しフィルムをヒートセットする前に液体溶媒を用いて前記第２の層の露出面に塗布され、前記抗菌粒子の少なくとも一部は前記第２の層のポリマー材料に部分的に包埋され、前記粒子は、適切な位置で、中に沈まずに、ポリマーマトリックスに保持されるフィルム。
【請求項４】
請求項１乃至３のいずれか一項に記載の方法またはフィルムにおいて、
前記第２の層の露出面は少なくとも１．１０の表面積指数および／または少なくとも６°の平均表面勾配を示す方法またはフィルム。
【請求項５】
第１のポリマー材料の第１の層と第２のポリマー材料の第２の層とを含有する共押し出しポリマー基材層を含有する抗菌ポリマーフィルムであって、
（ｉ）前記第２のポリマー材料の結晶融解温度（ＴM２）は前記第１のポリマー材料の結晶融解温度（ＴM１）よりも低く、
（ｉｉ）前記第２の層は、前記第２の層の前記ポリマー材料の約１質量％から約８０質量％の量の微粒子の抗菌化合物を含有し、
（ｉｉｉ）前記第２の層の露出面は少なくとも１．１０の表面積指数および／または少なくとも６°の平均表面勾配を示すフィルム。
【請求項６】
請求項１乃至５のいずれか一項に記載の方法またはフィルムにおいて、
前記第２の層は、前記第２の層の前記ポリマー材料の約１５質量％から約８０質量％の量の微粒子の抗菌化合物を含有する方法またはフィルム。
【請求項７】
請求項１乃至５のいずれか一項に記載の方法またはフィルムにおいて、
前記第２の層は、前記第２の層の前記ポリマー材料の約１質量％から約１５質量％の量の微粒子の抗菌化合物を含有する方法またはフィルム。
【請求項８】
請求項１乃至７のいずれか一項に記載の方法またはフィルムにおいて、
前記抗菌化合物は、銀、銅、亜鉛、スズ、水銀、鉛、鉄、コバルト、ニッケル、マンガン、ヒ素、アンチモン、ビスマス、バリウム、カドミウムおよびクロムから選択される金属または金属イオンを含む無機化合物である方法またはフィルム。
【請求項９】
請求項１乃至８のいずれか一項に記載の方法またはフィルムにおいて、
前記抗菌化合物の化学式はＭ1aＨbＡcＭ22（ＰＯ4）3・ｎＨ2Ｏであり、
Ｍ1は銀、銅、亜鉛、スズ、水銀、鉛、鉄、コバルト、ニッケル、マンガン、ヒ素、アンチモン、ビスマス、バリウム、カドミウムおよびクロムから選択される少なくとも１つの金属イオンであり、
Ａはアルカリ金属イオンまたはアルカリ土類金属イオンから選択される少なくとも１つのイオンであり、
Ｍ2は四価金属イオンであり、
ａおよびｂは正の数であり、ｃは０または正の数であり、（ｋａ＋ｂ＋ｍｃ）＝１であり、
ｋは金属Ｍ1の価数であり、
ｍは金属Ａの価数であり、
０≦ｎ≦６である方法またはフィルム。
【請求項１０】
請求項１乃至９のいずれか一項に記載の方法またはフィルムにおいて、
前記抗菌化合物の化学式はＡｇaＨbＡcＺｒ2（ＰＯ4）3・ｎＨ2Ｏであり、
Ａはアルカリ金属イオンまたはアルカリ土類金属イオンであり、
ａ、ｂおよびｃは正の数であり、（ａ＋ｂ＋ｍｃ）＝１であり、
ｍは金属Ａの価数であり、
０≦ｎ≦６である方法またはフィルム。
【請求項１１】
請求項１乃至１０のいずれか一項に記載の方法またはフィルムにおいて、
抗菌化合物の粒子サイズは体積分布平均粒子直径が約０．１μｍから約１０μｍの範囲である方法またはフィルム。
【請求項１２】
請求項１乃至１１のいずれか一項に記載の方法またはフィルムにおいて、
前記第１の層と第２の層の前記ポリマー材料はポリエステルから選択され、および／または
前記第１の層の前記ポリマー材料はポリエチレンテレフタレートであり、および／または
前記第２の層の前記ポリマー材料は、エチレングリコール、テレフタル酸およびイソフタル酸に由来するモノマー単位を含有するコポリエステルであり、および／または
前記基材は二軸延伸される方法またはフィルム。
【請求項１３】
請求項１乃至１２のいずれか一項に記載の方法またはフィルムにおいて、
前記第２の層の厚さは、全基材の厚さの約０．１％から約３０％であり、および／または
前記第２の層の厚さは、約０．１μｍから約１０μｍの範囲である方法またはフィルム。
【請求項１４】
請求項１乃至１３のいずれか一項に記載の方法またはフィルムにおいて、
Ｔが前記第２の層の厚さであり、Ｄが抗菌粒子の体積分布平均粒子直径である場合に、Ｔ／Ｄ比は０．３から１０の範囲である方法またはフィルム。
【請求項１５】
請求項１乃至１４のいずれか一項に記載の方法またはフィルムにおいて、
フィルムのヘイズは３０％未満である方法またはフィルム。
【手続補正書】
【提出日】平成24年1月26日(2012.1.26)
【手続補正１】
【補正対象書類名】特許請求の範囲
【補正対象項目名】全文
【補正方法】変更
【補正の内容】
【特許請求の範囲】
【請求項１】
ＣＴＬＡ４分子を含む未分類関節炎を治療するための医薬組成物であって、該ＣＴＬＡ４分子が、ＣＤ８０および／またはＣＤ８６に結合し、位置２６のアラニンまたは位置２７のメチオニンから始まり、位置１５０のアスパラギン酸で終わる配列番号２に示されるＣＴＬＡ４の細胞外ドメインを含む、医薬組成物。
【請求項２】
ＣＴＬＡ４分子の溶解性または親和性を変化させるアミノ酸配列をさらに含む、請求項１に記載の医薬組成物。
【請求項３】
溶解性または親和性を変化させるアミノ酸配列が免疫グロブリンを含む、請求項２に記載の医薬組成物。
【請求項４】
免疫グロブリンが免疫グロブリン定常領域またはその部分である、請求項３に記載の医薬組成物。
【請求項５】
免疫グロブリン定常領域またはその部分がエフェクター機能を低下するように変異している、請求項４に記載の医薬組成物。
【請求項６】
免疫グロブリン定常領域またはその部分がヒトまたはサル免疫グロブリン分子のヒンジ領域、ＣＨ２領域、およびＣＨ３領域を含む、請求項４に記載の医薬組成物。
【請求項７】
免疫グロブリン定常領域またはその部分がヒトまたはサル免疫グロブリン分子のヒンジ領域、ＣＨ２領域、およびＣＨ３領域を含む、請求項５に記載の医薬組成物。
【請求項８】
ＣＴＬＡ４分子を含む未分類関節炎を治療するための医薬組成物であって、該ＣＴＬＡ４分子が、
（ａ）配列番号２の位置２７のメチオニンから始まり、位置３８３のリシンで終わるアミノ酸配列、または
（ｂ）配列番号２の位置２６のアラニンから始まり、位置３８３のリシンで終わるアミノ酸配列
を含む、医薬組成物。
【請求項９】
ＡＴＣＣ（登録商標）第６８６２９号で指定される核酸分子によってコードされるＣＴＬＡ４分子を含む、未分類関節炎を治療するための医薬組成物。
【請求項１０】
未分類関節炎の症状を低下させるための、請求項１〜９のいずれか一項に記載の医薬組成物。
【請求項１１】
症状が、関節腫脹、関節圧痛、炎症、朝のこわばり、および疼痛からなる群から選択される、請求項１０に記載の医薬組成物。
【請求項１２】
対象の体重１ｋｇ当たり１０ｍｇの量で ＣＴＬＡ４ 分子を投与するための、請求項１〜９のいずれか一項に記載の医薬組成物。
【請求項１３】
構造的損傷を阻害するための、請求項１〜９のいずれか一項に記載の医薬組成物。
【請求項１４】
構造的損傷が、手首および手におけるびらん、手首および手における骨髄浮腫、ならびに手首および手における滑膜炎からなる群から選択される、請求項１３に記載の医薬組成物。
【手続補正書】
【提出日】平成24年4月16日(2012.4.16)
【手続補正１】
【補正対象書類名】特許請求の範囲
【補正対象項目名】全文
【補正方法】変更
【補正の内容】
【特許請求の範囲】
【請求項１】
以下のステップ：
a)水相中の生物活性薬と有機溶媒相中の疎水性イオン対形成（HIP）剤とを混合して生物活性薬-HIP複合体を形成するステップ；
b)該複合体を水相から分離するステップ；
c)水相を除去し、該複合体と有機相とをホモジナイズするステップ；
d)(i)ポリマーをステップ(c)で形成した有機相に溶解し、次いで連続水相中に有機相の乳濁液を形成するステップ；または
(ii)ポリマー形成物質のモノマーまたはオリゴマーをステップ(c)で形成した有機相に溶解し次いで連続水相中に有機相の乳濁液を形成し、モノマーもしくはオリゴマーをポリマー化してポリマーを形成するステップ；ならびに
e)形成した微粒子担体をステップ(d)の乳濁液から得るステップ
により得られる生物活性薬を含む微粒子担体であって、眼の疾患または障害の治療または予防に使用する上記微粒子担体。
【請求項２】
ポリマーがポリカプロラクトン（PCL）、ポリ-L-乳酸（PLA）、ポリブチルシアノアクリレート（PBCA）もしくはポリ(乳酸-コ-グリコール酸)（PLG）、またはポリ(ヒドロキシ酪酸)ならびに／あるいはそれらのコポリマーおよびブレンドを含む、請求項１に記載の微粒子担体。
【請求項３】
ポリマーがポリ(ジエン)、ポリ(アルケン)、ポリ(アクリル酸)、ポリ(メタクリル酸)、ポリ(ビニルエーテル類)、ポリ(ビニルアルコール)、ポリ(ビニルケトン)、ポリ(ハロゲン化ビニル)、ポリ(ビニルニトリル)、ポリ(ビニルエステル)、ポリ(ビニルピリジン)、ポリ(スチレン)、ポリ(カーボネート)、ポリ(エステル)、ポリ(オルトエステル)、ポリ(エステルアミド)、ポリ(無水物)、ポリ(ウレタン)、ポリ(アミド)、ポリアクリレート、ポリメタクリレート、ポリブチルシアノアクリレート、ポリアルキルシアノアクリレート、ポリアリールアミド、ポリ無水物、ポリオルトエステル、N,N-L-リシンジイルテレフタレート、ポリグルタルアルデヒドならびにそれらの誘導体、コポリマーおよびポリマーブレンド、からなる群から選択される、請求項１に記載の微粒子担体。
【請求項４】
モノマーがアルキルシアノアクリレート（ＡＣＡ）を含む、請求項１に記載の微粒子担体。
【請求項５】
タンパク質がアニオンであり、かつHIP剤がカチオンである場合、連続水相は7.0以上のpHを有し、タンパク質がカチオンでありかつHIP剤がアニオンである場合、連続水相は7.0以下のpHを有する、請求項２に記載の微粒子担体。
【請求項６】
微粒子担体がミクロスフェアである、請求項１〜５のいずれか１項に記載の微粒子担体。
【請求項７】
生物活性薬がペプチドまたはタンパク質である、請求項１〜６のいずれか１項に記載の微粒子担体。
【請求項８】
生物活性薬が抗原結合分子である、請求項１〜６のいずれか１項に記載の微粒子担体。
【請求項９】
抗原結合分子が、ドメイン、抗体またはドメイン抗体である、請求項８に記載の微粒子担体。
【請求項１０】
生物活性薬が疎水性イオン対形成剤の存在なしには有機相に不溶である、請求項１〜９のいずれか１項に記載の微粒子担体。
【請求項１１】
生物活性薬がカチオンである場合、HIP剤はアニオン性HIP剤であり、ここで該HIP剤はドクセートナトリウムであり、該生物活性薬がタンパク質であり、かつ、該HIP剤はタンパク質の正味の正電荷の数以上の化学量論量で存在する、請求項１〜１０のいずれか１項に記載の微粒子担体。
【請求項１２】
生物活性薬がアニオンである場合、HIP剤はカチオン性HIP剤であり、ここで該HIP剤は、臭化ジメチルジオクタデシル-アンモニウム（DDAB18）、1,2-ジオレオイルオキシ-3-(トリメチルアンモニウムプロパン（DOTAP）、または臭化セトリモニウム（CTAB）であり、該生物活性薬がタンパク質であり、かつ、該HIP剤はタンパク質の正味の負電荷の数以上の化学量論量で存在する、請求項１〜１０のいずれか１項に記載の微粒子担体。
【請求項１３】
タンパク質のポリマーに対する比が、少なくとも1.0％w/w、少なくとも2.5％w/wまたは少なくとも5％w/wである、請求項７に記載の微粒子担体。
【請求項１４】
ペプチドのポリマーに対する比が、少なくとも9％w/wである、請求項７に記載の微粒子担体。
【請求項１５】
抗体のポリマーに対する比が、少なくとも2％w/wである、請求項９に記載の微粒子担体。
【請求項１６】
ドメイン抗体のポリマーに対する比が、少なくとも2.5％w/wである、請求項９に記載の微粒子担体。
【請求項１７】
ポリマーがPEG化されている、請求項1〜16のいずれか1項に記載の微粒子担体。
【請求項１８】
請求項１〜１７のいずれかの１項に記載の微粒子担体を含む医薬組成物。
【請求項１９】
眼の疾患または障害を治療または予防するための、請求項1〜17のいずれか1項に記載の微粒子担体または請求項18に記載のいずれか1項に記載の医薬組成物の使用。
【請求項２０】
眼の疾患または障害が、加齢黄斑変性症（湿性AMDもしくは感性AMD）、糖尿病網膜症、網膜静脈閉塞性疾患、ブドウ膜炎、角膜新血管新生または緑内障である、請求項19に記載の使用。
【請求項２１】
眼送達によって投与される、請求項1〜17のいずれか1項に記載の微粒子担体または請求項18に記載のいずれか1項に記載の医薬組成物。
【手続補正書】
【提出日】平成24年6月4日(2012.6.4)
【手続補正１】
【補正対象書類名】特許請求の範囲
【補正対象項目名】全文
【補正方法】変更
【補正の内容】
【特許請求の範囲】
【請求項１】
複数の物品（５０２）を緊結するための熱収縮ホルダー（５００）において、
前記ホルダーは少なくとも第１と第２のブランク（５２４、５２６、５２８、５３０）を具備し、該第１と第２のブランクの各々が、
熱収縮材料から成る熱収縮前の所定長さの第１のシート材料（５２４、５３０）と、
前記第１のシート材料の熱収縮前の前記所定長さと概ね同じ長さの熱収縮材料から成り、少なくとも２つの開口部（５３２）を形成するように複数の接合部（５４０）にて前記第１のシート材料に接合される第２のシート材料（５２６、５２８）であって、前記開口部の各々は前記物品の１つよりも大きく形成されており、前記第１と第２のシート材料が前記接合部に穿孔が形成されている第２のシート材料と、
前記第１のブランクを前記第２のブランクに保持するための分離可能な結合部（５４２）とを含み、
前記分離可能な結合部は、前記穿孔（５４４）から離間した位置において前記第１のブランクの第２のシート材料（５２６）と、前記第２のブランクの第２のシート材料（５２８）との間に配置されており、
前記第１と第２のシート材料の各々は、前記複数の物品のうち前記開口部の各々に配置された１つの物品を緊結する程度に熱収縮でき、
前記穿孔（５４４）を切裂き、かつ、前記結合部（５４２）を分離することによって、前記第１と第２のシート材料において前記複数の物品の１つを緊結する部分を、残りの部分から取外可能とした熱収縮ホルダー。
【請求項２】
前記第１と第２のシート材料は、少なくとも熱融着または接着することによって接合されている請求項１に記載の熱収縮ホルダー。
【請求項３】
前記穿孔（５４６ａ）および分離可能な結合部（５４２ａ）は、第１のシート材料の前記部分（５３０ａ）第２のシート材料の前記部分（５２８ａ）および物品（５０２ａ）の取外しに際して、ホルダー（５００）および残りの物品（５０２ｂ〜５０２ｆ）のパッケージ（５１０）が損傷されず、かつ、ホルダーの廃材が発生しないようになっている請求項１に記載のホルダー。
【請求項４】
複数の物品を請求項１〜３の何れか１項に記載のホルダーによって緊結したパッケージ。
【請求項５】
複数の物品（７０２、１００２）を緊結するための熱収縮ホルダー（７００、１０００）において、
前記ホルダーは、熱収縮材料から成る熱収縮前の所定長さの第１のシート材料（７２８、１０２８）と、
前記第１のシート材料に接合される熱収縮材料から成る第２のシート材料（７２６、１０２６）とを具備し、
前記第１と第２のシート材料は第１の接合部（７４０、１０４０）において接合され、前記第２のシート材料によって前記第１のシート材料から延びる複数のループが形成され、隣接するループは前記第１のシート材料から離間した第２の接合部（７４２、１０４２ａ）において接合され、前記ループの各々が、前記複数の物品の１つよりも大きなサイズの１つの開口部（７３２）を形成し、前記第１と第２のシート材料を熱収縮させることによって、前記複数の物品のうち少なくとも２つの物品を１つに緊結可能な程度に前記開口部が収縮するようにした熱収縮ホルダー。
【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
搬送装置（６）であって、搬送面（１４）と背面（１２）を備え、
少なくとも２つの方向転換プーリ（８）によって案内される搬送ベルト（１０）を含み、
その搬送ベルト（１０）には前記搬送面（１４）から突き出した複数のプッシング部材（３４）が配置されており、
各プッシング部材（３４）が、背面（１２）に配置された送り部材（３８）に結合されていることと、
前記送り部材（３８）に、前記搬送ベルト（１０）から外方に向いた滑り面（５２）が含まれることと、
前記搬送装置（６）に、前記方向転換プーリ（８）間にある前記搬送ベルト（１０）の少なくとも１つの部分区域に配置された前記送り部材（３８）用の案内面（６２）を備えるガイドレール（５８）が含まれることと、
前記滑り面（５２）と前記案内面（６２）は、各送り部材（３８）の前記滑り面（５２）が前記ガイドレール（５８）の前記案内面（６２）上を滑ることができるように相補形状をしていることを特徴とする搬送装置。
【請求項２】
各送り部材（３８）に、前記搬送ベルト（１０）に向かい合った転動面（４８）が含まれることと、前記方向転換プーリ（８）の少なくとも１つに、前記搬送ベルト（１０）の動作中に通過する前記送り部材（３８）を受け入れて案内するために、円周方向に形成されたリング溝（６４）が含まれることを特徴とする請求項１に記載の搬送装置。
【請求項３】
前記転動面（４８）が湾曲していることと、
前記滑り面（５２）及び前記案内面（６２）がほぼフラットであることを特徴とする請求項１または２に記載の搬送装置。
【請求項４】
各送り部材（３８）の前記転動面（４８）及び前記滑り面（５２）が、弓形（４４）の形状をなす２つの表面（４２）にて、互いに結合されたことを特徴とする請求項３に記載の搬送装置。
【請求項５】
各弓形（４４）を形成する円弧の半径が、少なくとも１つの前記方向転換プーリ（８）の外半径（Ｒ）とほぼ同じであることを特徴とする請求項４に記載の搬送装置。
【請求項６】
各弓形（４４）を形成する弓形の高さ（ｈ）が、少なくとも１つの前記方向転換プーリ（８）における前記リング溝（６４）の深さ（Ｔ）とほぼ同じであることを特徴とする請求項４または５に記載の搬送装置。
【請求項７】
各プッシング部材（３４）が、前記搬送ベルト（１０）の凹所を貫通する結合部品（３６）によって前記送り部材（３８）に結合されていることを特徴とする請求項１〜６のいずれかに記載の搬送ベルト。
【請求項８】
前記搬送ベルト（１０）の相補性歯列（２４）と係合する複数の歯（２２）が、各方向転換プーリ（８）に配置されていることを特徴とする請求項１〜７のいずれかに記載の搬送ベルト。
【請求項９】
群をなして供給される物体を分離するための分離装置（２）であって、
請求項１〜８のいずれかに記載の搬送装置（６）を含んでおり、
分離される前記物体の供給装置（３０）が、前記方向転換プーリ（８）のうちの１つプーリの領域内に設けられていることを特徴とする分離装置。
【請求項１０】
分離された物体の排出が、前記搬送ベルト（１０）の方向転換点（７２）の近傍で行われ、方向転換の角度が５°〜４０°の範囲内であることを特徴とする請求項９に記載の分離装置。
【手続補正書】
【提出日】平成24年4月27日(2012.4.27)
【手続補正１】
【補正対象書類名】特許請求の範囲
【補正対象項目名】請求項５
【補正方法】変更
【補正の内容】
【請求項５】
ロータ（３、１６）または処理ステーション（４）と協働する少なくとも１個の機能要素（８、９；２１：２２）が設けられていることと、少なくともローラ（１０、１１）が、この機能要素に対向する支承装置の領域に可動に、好ましくは機械軸線（ＭＡ）に対して半径方向に向いた軸方向に可動に設けられていることを特徴とする請求項１〜４のいずれか1項に記載の処理機械。
【手続補正書】
【提出日】平成24年5月29日(2012.5.29)
【手続補正１】
【補正対象書類名】特許請求の範囲
【補正対象項目名】全文
【補正方法】変更
【補正の内容】
【特許請求の範囲】
【請求項１】
複数の容器を液体で充填するための装置であって、液体を収容するための流体リザーバアセンブリと、前記流体リザーバアセンブリと流体連通して配置され、前記流体リザーバアセンブリ内の液体を処理する流体処理ユニットとを備え、
前記流体リザーバアセンブリ及び前記流体処理ユニットは、重力による内部の液体の通過を可能とし、
前記流体リザーバアセンブリが複数の吐出口を含み、その各々が、処理された液体をほぼ容器に方向づける、装置。
【請求項２】
前記流体処理ユニットが、液体を飲用液になるように処理する材料を含む、請求項１に記載の装置。
【請求項３】
前記流体処理ユニットの材料が、織布繊維及び／又は不織布繊維、熱可塑性高分子材料、ポリエチレンテレフタレート（ＰＥＴ）、ポリカーボネート、ポリプロピレン、半結晶性ポリエステル樹脂、ポリブチレンテレフタレート（ＰＢＴ）、熱硬化性プラスチック、金属、イオン交換樹脂、セラミックス、活性炭、並びにこれらの組み合わせからなる材料群のうちの少なくとも１つから作製されたフィルタ材を含む、請求項２に記載の装置。
【請求項４】
前記流体処理ユニットが、内部の液体の通過を可能とするための開口部を有する容器を含み、該容器が前記フィルタ材を収める、請求項３に記載の装置。
【請求項５】
前記流体リザーバアセンブリが、
注入口開口部及び複数の吐出口を有するハウジングと、
各吐出口に流動的に関連付けられたバルブであって、密閉モードでは、常に液体が該吐出口から流出することを防止し、充填モードでは、前記バルブに操作可能に係合している前記容器に応じて前記容器の１つに液体が流入することを許可するバルブとを含む、請求項１に記載の装置。
【請求項６】
前記バルブに関連付けられ、前記充填モード中に前記容器に配置可能で、かつ前記容器を充填する液体の液位を制御するように作動するベントを更に含む、請求項５に記載の装置。
【請求項７】
前記流体リザーバアセンブリが、
注入口開口部及び複数の吐出口を有するハウジングであって、該複数の吐出口が該ハウジングの基部に位置され、かつ吐出口を超えて容器が配置されるハウジングと、
各吐出口開口部に流動的に関連付けられた押し退けバルブであって、密閉モードでは、常に液体が前記吐出口から流出することを防止し、充填モードでは、前記容器内の押し退けバルブに操作可能に係合している前記容器内の前記押し退けバルブに応じて前記容器の１つに液体が流入することを許可する押し退けバルブとを含む、請求項１に記載の装置。
【請求項８】
複数の個別容器を充填するためのシステムであって、
液体を内部に直接受け入れるための複数の個別容器と、
複数の前記容器を処理された液体で充填するための装置であって、液体を収容するための流体リザーバアセンブリを含む装置と、
液体を処理する前記流体リザーバアセンブリと流体連通して配置された流体処理ユニットとを備え、
前記流体リザーバアセンブリ及び前記流体処理ユニットは、重力による内部の液体の通過を可能とし、
前記流体リザーバアセンブリが複数の吐出口を含み、その各々が処理された液体をほぼ前記個別容器の１つに方向づける、システム。
【手続補正書】
【提出日】平成24年5月14日(2012.5.14)
【手続補正１】
【補正対象書類名】明細書
【補正対象項目名】００２７
【補正方法】変更
【補正の内容】
【００２７】
インサート５０の寸法は、処理温度におけるダイ穴２２の寸法を超えないものでなければならず、インサート５０の金属が図１のベースプレート３６または図２の取外し可能インサート１１０の金属と異なる場合には、膨張差を考慮しなければならない。フィン５６はプロセス溶融物についての複数の流通通路を形成するだけでなく、ダイ穴２２内におけるインサート５０の位置を保持する働きがある。フィンの最低個数は少なくとも二つ（２）であり、好ましくは三つ（３）である。インサート５０はより好ましくは四つ（４）以上のフィン５６がある。複数のフィン５６は隣接するフィンに対して任意の角度で配向されて、ポリマー溶融物が流れる通路を形成する。好ましくはフィンは１８０°以下の角度で離れている。より好ましくは、フィンは１２０°以下の角度で離れている。最も好ましくは、フィンは９０°以下の角度で離れている。
【手続補正２】
【補正対象書類名】特許請求の範囲
【補正対象項目名】全文
【補正方法】変更
【補正の内容】
【特許請求の範囲】
【請求項１】
中空ペレットを製造するための押出成形プロセスであって、
プロセスは
ダイオリフィスおよびダイオリフィス内に配置されるインサートを含む押出成形ダイを介して溶融材を押出成形することを備え、インサートはマンドレルとインサートの長さに延在する複数の異なるフィンとを含み、さらに
中空キャビティを有するペレットを製造するのに有効な押出成形された溶融材を冷却することを備える、プロセス。
【請求項２】
中空キャビティは、ペレットの第１表面を貫通し、連続的に延在してペレットの第２表面を通る、請求項１に記載のプロセス。
【請求項３】
中空キャビティは、ペレット内において完全に封入されている、請求項１に記載のプロセス。
【請求項４】
中空キャビティは、ペレットの第１表面を貫通し、ペレット本体の内部まで内側に延在する、請求項１に記載のプロセス。
【請求項５】
押出成形は圧力押出成形を含む、請求項１に記載のプロセス。
【請求項６】
溶融材は、ポリオレフィン、架橋性ポリオレフィン、ビニルポリマー、置換ビニルポリマー、ポリエステル、ポリアミド、ポリエーテル、ポリチオエーテル、ポリウレタン、ポリイミド、ポリカーボネート、ポリスルフィド、ポリスルホン、ワックス、その共重合体、または前記のうちの少なくとも２つを含む調合物を含む、請求項１に記載のプロセス。
【請求項７】
インサートの複数の異なるフィンのうちの少なくとも一つは先細りとなる、請求項１に記載のプロセス。
【請求項８】
押出成形ダイは、単体押出成形ダイまたは取外し可能押出成形ダイアセンブリである、請求項１に記載のプロセス。
【請求項９】
中空ペレットを製造するための押出成形プロセスであって、プロセスは
溶融材をペレタイザに供給することと、
圧力を用いてペレタイザの押出成形ダイを介して溶融材を押出成形することとを備え、押出成形ダイは、ダイオリフィスと、ダイオリフィス内に配置されるインサートとを含み、インサートはマンドレル、インサートの長さに延在する複数の異なるフィンを含み、複数の異なるフィンのうちの少なくとも一つは先細りとなり、さらに
中空キャビティを有するペレットを製造するのに有効な押出成形された溶融材を冷却することを備え、中空キャビティはペレットの第１表面を貫通し、連続的に延在してペレットの第２表面を通り、またはペレット内において完全に封入され、またはペレットの第１表面を貫通し、ペレット本体の内部まで内側に延在する、押出成形プロセス。
【請求項１０】
押出成形ダイは単体押出成形ダイまたは取外し可能押出成形ダイアセンブリである、請求項９に記載のプロセス。
【請求項１１】
押出成形ダイは溶融材が中を押出成形される複数のダイオリフィスを含み、複数のダイオリフィスの各ダイオリフィスはインサートを含む、請求項９に記載のプロセス。
【請求項１２】
ペレタイザは水中ペレタイザである、請求項９に記載のプロセス。
【請求項１３】
ペレタイザであって、
溶融材を受入れるための入口と、
入口下流において、溶融材を押出成形するためのダイオリフィスと、
ダイオリフィス内に配置されるインサートとを備え、インサートは、マンドレル、インサートの長さに延在する複数の異なるフィンを含み、複数の異なるフィンのうちの少なくとも一つは先細りとなり、さらに
押出成形された溶融材をペレタイザから搬送するための出口を備える、ペレタイザ。
【請求項１４】
インサートは少なくとも４つの異なるフィンを含み、少なくとも４つの異なるフィンの各々は、マンドレルを中心に、隣接するフィンに対して約９０°以下離れて配置される、請求項１３に記載のペレタイザ。
【請求項１５】
ペレタイザは水中ペレタイザである、請求項１３に記載のペレタイザ。
【請求項１６】
押出成形された溶融材は、中空キャビティを有するペレットを含む、請求項１３に記載のペレタイザ。
【請求項１７】
中空キャビティは、ペレットの第１表面を貫通し、連続的に延在してペレットの第２表面を通り、またはペレット内において完全に封入され、またはペレットの第１表面を貫通し、ペレット本体の内部まで内側に延在する、請求項１６に記載のペレタイザ。
【請求項１８】
複数の異なるフィンの各々は、マンドレルを中心に、隣接するフィンに対して約１８０°以下離れて配置される、請求項１に記載のプロセス。
【手続補正書】
【提出日】平成24年5月29日(2012.5.29)
【手続補正１】
【補正対象書類名】特許請求の範囲
【補正対象項目名】全文
【補正方法】変更
【補正の内容】
【特許請求の範囲】
【請求項１】
７−クロロ−２−（（Ｓ）−１−シクロプロピル−エチル）−５−〔３−（モルホリン−４−カルボニル）−イソオキサゾール−５−イル〕−２，３−ジヒドロ−イソインドール−１−オンである化合物、又はその薬学的に許容される塩。
【請求項２】
請求項１に記載の化合物及び少なくとも１つの薬学的に許容される担体又は賦形剤を含む、医薬組成物。
【請求項３】
患者における統合失調症又は不安の症状を緩和するか又は症状の発現を遅らせるための、治療有効量の請求項１に記載の化合物を含む、医薬。
【請求項４】
患者における統合失調症又は不安の症状を緩和するか又は症状の発現を遅らせるための医薬の製造における、請求項１に記載の化合物の使用。
【手続補正書】
【提出日】平成24年6月2日(2012.6.2)
【手続補正１】
【補正対象書類名】明細書
【補正対象項目名】０００７
【補正方法】変更
【補正の内容】
【０００７】
デ・ビルズは、過酸化ベンゾイルと、水と、水混和性の有機溶媒であって水よりも揮発性が低くかつ前記過酸化ベンゾイルが溶解するような有機溶媒とを含む組成物を開示している。皮膚に塗布する前は前記過酸化ベンゾイルは前記組成物中に懸濁している。しかし皮膚に塗布されると、前記組成物中の水が前記有機溶媒に比べて比較的早く蒸発する。前記組成物の前記過酸化ベンゾイルは、それから前記有機溶媒にその場で溶解し、結果的に全ての水が蒸発した後は過酸化ベンゾイルの溶液となる。
前記デ・ビルズの組成物が懸濁液から溶液へと変化するためには、前記組成物中の水が蒸発するのに十分な時間の間、前記組成物が皮膚の表面上にそのまま存在していなければならない。当該時間の間、前記過酸化ベンゾイルは前記組成物中に懸濁し、当該懸濁粒子は皮膚と接触して刺激を引き起こす可能性がある。更に、デ・ビルズは、シュワルツと同じく、比較的高濃度の有機溶媒を必要とするため、このような組成物による刺激の可能性を上昇させる。
この出願の発明に関連する先行技術文献情報としては、以下のものがある（国際出願日以降国際段階で引用された文献及び他国に国内移行した際に引用された文献を含む）。
【先行技術文献】
【特許文献】
【手続補正２】
【補正対象書類名】明細書
【補正対象項目名】０００８
【補正方法】変更
【補正の内容】
【０００８】
【特許文献１】  国際公開第９３／０１５７２６号明細書
【特許文献２】  米国特許第４４９７７９４号明細書
【発明を実施するための形態】
【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
式（ＩＩＩ）：
【化２３５】
2011522803.tif 000001
［式中、
ＸはＣＨ２又はＣ＝Ｏであり；
ＹはＯ又はＳであり；
Ｒ１０は、
（Ｃ１〜Ｃ１０）アルキル；（Ｃ１〜Ｃ１０）アルコキシ；
（Ｃ０〜Ｃ１０）アルキル−（５〜１０員ヘテロアリール又は複素環）（前記ヘテロアリール又は複素環は場合により、それ自体が１以上のハロゲンで置換された（Ｃ１〜Ｃ６）アルキル；ハロゲン；オキソ；それ自体が１以上のハロゲンで置換された（Ｃ１〜Ｃ６）アルコキシ；又は−Ｚ−（Ｃ１〜Ｃ６）アルキル［式中、ＺはＳ又はＳＯ２であり、前記（Ｃ１〜Ｃ６）アルキルは１以上のハロゲンで場合により置換されていてよい］の１以上で置換されている）；
（Ｃ０〜Ｃ１０）アルキル−（５〜１０員アリール）（前記アリールは場合により、ハロゲン；それ自体が場合により１以上のハロゲンで置換された（Ｃ１〜Ｃ６）アルコキシ；それ自体が場合により１以上のハロゲンで置換された（Ｃ１〜Ｃ６）アルキル；又は−Ｚ−（Ｃ１〜Ｃ６）アルキル［式中、ＺはＳ又はＳＯ２であり、前記（Ｃ１〜Ｃ６）アルキルは場合により１以上のハロゲンで置換されていてよい］の１以上で置換されている）；又は
（Ｃ１〜Ｃ６）アルキル−ＣＯ−Ｏ−Ｒ１２［式中、Ｒ１２はＨ又は（Ｃ１〜Ｃ６）アルキルである］であり；そして
Ｒ１１はＨ又は（Ｃ１〜Ｃ６）アルキルである］
の化合物、又はその医薬的に許容される塩、溶媒和物、立体異性体若しくはプロドラッグ。
【請求項２】
【化２３６−１】
2011522803.tif 000002
【化２３６−２】
2011522803.tif 000003
【化２３６−３】
2011522803.tif 000004
【化２３６−４】
2011522803.tif 000005
【化２３６−５】
2011522803.tif 000006
である、請求項１に記載の化合物。
【請求項３】
式（ＩＶ）：
【化２３７】
2011522803.tif 000007
［式中、
ＸはＣＨ２又はＣ＝Ｏであり；
ＹはＯ又はＳであり；
Ｒ１３は、
（Ｃ１〜Ｃ１０）アルキル；（Ｃ１〜Ｃ１０）アルコキシ；  場合によりハロゲン；シアノ；（Ｃ１〜Ｃ６）アルキレンジオキシ；それ自体が場合により１以上のハロゲンで置換された（Ｃ１〜Ｃ６）アルコキシ；それ自体が場合により１以上のハロゲンで置換された（Ｃ１〜Ｃ６）アルキル；又はそれ自体が場合により１以上のハロゲンで置換された（Ｃ１〜Ｃ６）アルキルチオの１以上で置換された５〜１０員アリール又はヘテロアリールであり；そして
Ｒ１４はＨ又は（Ｃ１〜Ｃ６）アルキルである］
の化合物、又はその医薬的に許容される塩、溶媒和物、立体異性体若しくはプロドラッグ。
【請求項４】
【化２３８−１】
2011522803.tif 000008
【化２３８−２】
2011522803.tif 000009
【化２３８−３】
2011522803.tif 000010
【化２３８−４】
2011522803.tif 000011
である、請求項３に記載の化合物。
【請求項５】
請求項１又は３に記載の化合物を含む医薬組成物。
【請求項６】
疾患又は障害を治療する、管理する又は予防するための医薬組成物であって、治療有効量又は予防有効量の請求項１又は３に記載の化合物を含み、前記疾患又は障害が、癌、血管新生に関連する障害、疼痛、黄斑変性若しくは関連症候群、皮膚疾患、肺障害、アスベストに関連する障害、寄生虫疾患、免疫不全障害、ＣＮＳ障害、ＣＮＳ損傷、アテローム性動脈硬化若しくは関連障害、睡眠機能不全若しくは関連障害、異常血色素症若しくは関連障害、又はＴＮＦα関連障害である、組成物。
【請求項７】
前記癌が、多発性骨髄腫、白血病、又はリンパ腫である、請求項６に記載の組成物。
【請求項８】
前記血管新生に関連する障害が、子宮内膜症、クローン病、心不全、進行した心不全、腎臓機能障害、内毒素血、毒素性ショック症候群、骨関節炎、レトロウイルス複製、るいそう、髄膜炎、線維症、高カルシウム血症、脳卒中、循環性ショック、歯周病、歯肉炎、大球性貧血、不応性貧血、又は５ｑ欠失症候群である、請求項６に記載の組成物。
【請求項９】
前記疼痛が、侵害受容性疼痛、神経因性疼痛、内臓痛、片頭痛、頭痛、又は術後疼痛である、請求項６に記載の組成物。
【請求項１０】
前記神経因性疼痛が、複合性局所疼痛症候群、ジストロフィー、又は糖尿病性神経障害である、請求項９に記載の組成物。
【請求項１１】
前記黄斑変性又は関連症候群が、萎縮性黄斑変性、滲出性黄斑変性、加齢に関連した黄斑症、脈絡膜血管新生、網膜色素上皮剥離、又は網膜色素上皮の萎縮である、請求項６に記載の組成物。
【請求項１２】
前記皮膚病が角化症である、請求項６に記載の組成物。
【請求項１３】
前記肺障害が、肺高血圧症、特発性肺高血圧症、又は慢性閉塞性肺疾患である、請求項６に記載の組成物。
【請求項１４】
前記寄生虫病が、マラリア、バベシア症、リーシュマニア症、角膜炎、又は住血吸虫症である、請求項６に記載の組成物。
【請求項１５】
前記免疫不全障害が、抗体欠損症、免疫グロブリン欠損症、毛細血管拡張性運動失調症、不全リンパ球症候群、網様体異形成、低ガンマグロブリン血症、Ｘ連鎖無ガンマグロブリン血症、ヴィスコット−オールドリッチ症候群、又はＸ連鎖重症複合免疫不全である、請求項６に記載の組成物。
【請求項１６】
前記ＣＮＳ障害が、筋萎縮性側索硬化症、アルツハイマー病、パーキンソン病、ハンチントン病、多発性硬化症、又はトウレット症候群である、請求項６に記載の組成物。
【請求項１７】
前記ＴＮＦα関連障害が、関節炎、移植片対宿主病、炎症、慢性肺炎症性疾患、再かん流傷害、心筋梗塞、敗血症ショック、乾癬、鬱血性心不全、悪液質、又は喘息である、請求項６に記載の組成物。
【請求項１８】
１以上の追加の活性剤をさらに含む、請求項６に記載の組成物。
【請求項１９】
経口又は非経口で投与される、請求項６に記載の組成物。
【請求項２０】
請求項１又は３に記載の化合物を含む単位投与形態。
【請求項２１】
経口又は非経口投与に適する、請求項２０に記載の単位投与形態。
【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
サプレッサーＴ細胞を作製する方法であって、
単離したランゲルハンス細胞（ＬＣ）前駆体を、ＧＭ−ＣＳＦ、Ｆｌｔ３−Ｌ及びＴＮＦαの存在下で培養してＬＣを作製するステップと、得られたＬＣと単離したＴ細胞とを、抗ＣＤ８抗体の存在下で、サプレッサーＴ細胞が生成される条件下で共培養するステップとを含む方法。
【請求項２】
抗ＣＤ８抗体が、ウイルスに対する免疫応答に影響することなく、移植（engraft）された器官に対する免疫応答を下方制御する、請求項１に記載の方法。
【請求項３】
単離したＴ細胞が、高結合活性の抗原特異的ナイーブＴ細胞である、請求項１又は２に記載の方法。
【請求項４】
ランゲルハンス細胞が、ＣＤ１ａ＋ＣＤ１４−ランゲルハンス細胞である、請求項１〜３のいずれかに記載の方法。
【請求項５】
ＣＤ１ａ＋ＣＤ１４−ランゲルハンス細胞が、セルソーティング（cell sorting）により得られる、請求項４に記載の方法。
【請求項６】
ランゲルハンス細胞が、ＣＤ３４＋造血前駆細胞（ＨＰＣ）をＧＭ−ＣＳＦ、Ｆｌｔ３−Ｌ及びＴＮＦαの存在下で９〜１０日間培養することによりインビトロで生成される、請求項１〜５のいずれかに記載の方法。
【請求項７】
抗ＣＤ８抗体が、ｃＭ−Ｔ８０７、Ｔ８、ＲＰＡ−Ｔ８、ＨＩＴ８ａ、Ｌｅｕ２、Ｔ８及びＯＫＴ８から選択される、請求項１〜６のいずれかに記載の方法。
【請求項８】
抗ＣＤ８抗体が、０．５〜５，０００ｎｇ／ｍｌで培養物中に提供される、請求項１〜７のいずれかに記載の方法。
【請求項９】
単離した単球を、ＧＭ−ＣＳＦ及びＩＦＮ−α−２ｂの存在下で培養して単離樹状細胞（ＩＦＮ−ＤＣ）を作製するステップと、抗ＣＤ８抗体の存在下で、グランザイムＡの減少、グランザイムＢの減少、パーフォリンの減少、ＩＬ−２、ＩＦＮ−γ若しくはこれら両方の分泌量の減少、ＩＬ−１０の分泌又はそれらの組合せにより測定されるサプレッサーＴ細胞が生成される条件下で、前記ＩＦＮ−ＤＣと単離したＴ細胞とを共培養するステップとを含む、サプレッサーＴ細胞を作製する方法。
【請求項１０】
移植拒絶を低減する組成物であって、その他の免疫応答を消失させることなく移植拒絶を低減するのに十分な有効量のサプレッサーＴ細胞を含み、前記サプレッサーＴ細胞が、抗ＣＤ８抗体の存在下で、サプレッサーＴ細胞が生成される条件下で成熟ランゲルハンス細胞（ＬＣ）と共培養された単離末梢血Ｔ細胞から生成される組成物。
【請求項１１】
抗ＣＤ８抗体が、ｃＭ−Ｔ８０７、Ｔ８、ＲＰＡ−Ｔ８、ＨＩＴ８ａ、Ｌｅｕ２、Ｔ８及びＯＫＴ８から選択される、請求項１０に記載の組成物。
【請求項１２】
抗ＣＤ８抗体が、０．５〜５，０００ｎｇ／ｍｌで培養物中に提供される、請求項１０又は１１に記載の組成物。
【請求項１３】
サプレッサーＴ細胞が、凍結しており、使用前に注射用の媒体に再懸濁される、請求項１０〜１２のいずれかに記載の組成物。
【手続補正書】
【提出日】平成24年4月20日(2012.4.20)
【手続補正１】
【補正対象書類名】特許請求の範囲
【補正対象項目名】全文
【補正方法】変更
【補正の内容】
【特許請求の範囲】
【請求項１】
式（Ｉ）：
2011522839.tif 000001
ここで、上記Ｒが−Ｃ（＝Ｏ）−ＯＨ又は−Ｃ（＝Ｏ）−ＮＨ２であり、上記ｘが１又は２であり、上記ｙが３又は４であり、すべてのエナンチオマー若しくはジアステレオアイソマーを含む環状ペプチド、又は、これらのいずれかの薬学的に許容可能な塩であることを特徴とする環状ペプチド。
【請求項２】
式（ＩＩ）：
2011522839.tif 000002
で表されることを特徴とする請求項１に記載の環状ペプチド。
【請求項３】
Ａｃ−Ａｒｇ−シクロ（Ａｓｐ−Ｄａｂ−Ｄ−Ｐｈｅ−Ａｒｇ−Ｔｒｐ−Ｌｙｓ）−ＮＨ２（配列番号：４）で表されることを特徴とする請求項１に記載の環状ペプチド。
【請求項４】
Ａｃ−Ａｒｇ−シクロ（Ａｓｐ−Ｄａｂ−Ｄ−Ｐｈｅ−Ａｒｇ−Ｔｒｐ−Ｌｙｓ）−ＯＨ（配列番号：５）で表されることを特徴とする請求項１に記載の環状ペプチド。
【請求項５】
Ａｃ−Ａｒｇ−シクロ（Ｇｌｕ−Ｄａｂ−Ｄ−Ｐｈｅ−Ａｒｇ−Ｔｒｐ−Ｏｒｎ）−ＮＨ２（配列番号：６）で表されることを特徴とする請求項１に記載の環状ペプチド。
【請求項６】
Ａｃ−Ａｒｇ−シクロ（Ｇｌｕ−Ｄａｂ−Ｄ−Ｐｈｅ−Ａｒｇ−Ｔｒｐ−Ｏｒｎ）−ＯＨ（配列番号：７）で表されることを特徴とする請求項１に記載の環状ペプチド。
【請求項７】
請求項１に記載の環状ペプチド又はその薬学的に許容可能な塩と、薬学的に許容可能な担体とを具えることを特徴とする医薬品組成物。
【請求項８】
請求項１に記載の環状ペプチド又はその薬学的に許容可能な塩と、第２の性的不能用医薬品とを具えることを特徴とする医薬品組成物。
【請求項９】
医薬品として使用するのためのものであることを特徴とする請求項１乃至６のいずれか１項に記載のペプチド。
【請求項１０】
ＭＣ４レセプタの活性化に反応する疾病、疾患及び／又は病状の治療に使用するためのものであることを特徴とする請求項１乃至６のいずれか１項に記載のペプチド。
【請求項１１】
オスの勃起不全及びメスの性的不全を含む性的不能に使用するためのものであることを特徴とする請求項１乃至６のいずれか１項に記載のペプチド。